【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
グラフトすることができる部位を有するポリオレフィン、変性ポリオレフィン、ポリエステルまたは変性ポリエステルの主鎖にグラフトされた２つの群のモノマーを含有する多機能分散剤グラフトポリマーであって、
１つの群のモノマーは、分散性を付与するために、２〜５０個の炭素原子を有し、かつ窒素、酸素およびそれらの組み合わせからなる群から選ばれる少なくとも１つを含有する、少なくとも１つのエチレン性不飽和脂肪族または芳香族モノマーを含み、そして
他の群のモノマーは、すす処理性能を付与するのに適した置換基を形成するために、少なくとも１つのオレフィン性不飽和点を有する少なくとも１つのアシル化剤と、そのアシル化剤と反応した少なくとも１つのアミンを含む、
多機能分散剤グラフトポリマー。
【請求項２】
ポリマー主鎖が約１０，０００〜約１，０００，０００の質量平均分子量を有する、請求項１に記載の多機能分散剤グラフトポリマー。
【請求項３】
ポリマー主鎖が約１〜約１５の多分散性を有する、請求項１または２に記載の多機能分散剤グラフトポリマー。
【請求項４】
ポリマー主鎖が、約１０，０００〜約５００，０００の質量平均分子量および約１〜約１５の多分散性を有するポリオレフィンを含む、請求項１に記載の多機能分散剤グラフトポリマー。
【請求項５】
エチレン性不飽和モノマーが、１−ビニルイミダゾール、１−ビニル−２−ピロリジノン、Ｎ−アリルイミダゾール、１−ビニルピロリジノン、２−ビニルピリジン、４−ビニルピリジン、Ｎ−メチル−Ｎ−ビニルアセトアミド、ジアリルホルムアミド、Ｎ−メチル−Ｎ−アリルホルムアミド、Ｎ−エチル−Ｎ−アリルホルムアミド、Ｎ−シクロヘキシル−Ｎ−アリルホルムアミド、４−メチル−５−ビニルチアゾール；Ｎ−アリルジイソオクチルフェノチアジン；２−メチル−１−ビニルイミダゾール、３−メチル−１−ビニルピラゾール、Ｎ−ビニルプリン、Ｎ−ビニルピペラジン、ビニルピペリジン、ビニルモルホリン、およびそれらの組み合わせからなる群から選ばれる、請求項１〜４のいずれか１項に記載の多機能分散剤グラフトポリマー。
【請求項６】
アシル化剤が、マレイン酸、フマル酸および無水マレイン酸からなる群から選ばれる、請求項１〜５のいずれか１項に記載の多機能分散剤グラフトポリマー。
【請求項７】
アミンが、メチレンアミン、エチレンアミン、ブチレンアミン、プロピレンアミン、ペンチレンアミン、ヘキシレンアミン、ヘプチレンアミン、オクチレンアミン、アミノアルキル置換ピペラジン、エチレンジアミン、ジエチレントリアミン、トリエチレンテトラミン、プロピレンジアミン、ジ（ヘプタメチレン）トリアミン、トリプロピレンテトラミン、テトラエチレンペンタミン、トリメチレンジアミン、ペンタエチレンヘキサミン、ジ（トリメチレン）トリアミン、３−モルホリノプロピルアミン、アニリン、４−モルホリンアニリン、ベンジルアミン、フェニルエチルアミン、３−フェニル−１−プロピルアミン、Ｎ−フェニルフェニレンジアミン、Ｎ−フェニル−１，４−フェニレンジアミン、Ｎ−フェニル−１，３−フェニレンジアミン、Ｎ−フェニル−１，２−フェニレンジアミン、Ｎ−ナフチルフェニレンジアミン、Ｎ−フェニルナフタレンジアミン、Ｎ′−アミノプロピル−Ｎ−フェニルフェニレンジアミン、Ｎ，Ｎ−ジメチルアミノプロピルアミン、Ｎ，Ｎ−ジオクチルエチルアミン、（２−アミノプロピル）ピペラジン、１，４−ビス−（２−アミノエチル）ピペラジン、２−メチル−１−（２−アミノブチル）ピペラジン、
式
【化１】
2008539325.tif 000001
（式中、Ａｒは芳香族基であり、Ｒ１は、水素、−ＮＨ−アリール、−ＮＨ−アリールアルキル、−ＮＨ−アルキルアリール、または４〜２４個の炭素原子を有する分岐もしくは直鎖のアルキル、アルケニル、アルコキシル、アリールアルキル、アルキルアリール、ヒドロキシアルキルまたはアミノアルキル基であり、Ｒ２は、−ＮＨ２、−（ＮＨ（ＣＨ２）ｎ−）ｍ−ＮＨ２、ＣＨ２−（ＣＨ２）ｎ−ＮＨ２、−アリール−ＮＨ２（式中、ｎおよびｍはそれぞれ１〜１０の値を有する。）であり、そして、Ｒ３は、水素、または４〜２４個の炭素原子を有するアルキル、アルケニル、アルコキシル、アリールアルキルまたはアルキルアリール基である。）
および
【化２】
2008539325.tif 000002
（式中、Ｒ４、Ｒ５およびＲ６は、水素、または１〜１０個の炭素原子を含む直鎖または分岐の炭化水素基であって、その基は、アルキル、アルケニル、アルコキシル、アルキルアリール、アリールアルキル、ヒドロキシアルキル、またはアミノアルキル基であり、そしてＲ４、Ｒ５およびＲ６は同じであってもよいし異なっていてもよい。）
によって表わされるＮ−アリールフェニレンジアミン、
式
【化３】
2008539325.tif 000003
（式中、Ｒ７およびＲ８は、水素または１〜１４個の炭素原子を有するアルキル、アルケニル、またはアルコキシル基を表わし、そしてＲ７とＲ８は同じであってもよいし異なっていてもよい。）
によって表わされるアミノカルバゾール、
式
【化４】
2008539325.tif 000004
（式中、Ｒ９は水素または１〜１４個の炭素原子を有するアルキル基を表わす。）
によって表わされるアミノインドール、
式
【化５】
2008539325.tif 000005
（式中、Ｒ１０は、水素または１〜１４個の炭素原子を有するアルキル基である。）
によって表わされるアミノインダゾリノン、
式
【化６】
2008539325.tif 000006
によって表わされるアミノメルカプトトリアゾール、
式
【化７】
2008539325.tif 000007
（式中、Ｒ１１は水素または１〜１４個の炭素原子を有するアルキルまたはアルコキシル基を表わす。）
によって表わされるアミノペリミジン、
およびそれらの組み合わせからなる群から選ばれる、請求項１〜６のいずれか１項に記載の多機能分散剤グラフトポリマー。
【請求項８】
アミンがＮ−フェニル−１，４−フェニレンジアミンである、請求項１〜７のいずれか１項に記載の多機能分散剤グラフトポリマー。
【請求項９】
多機能分散剤ポリマーが、主鎖ポリマー１モル当たり約１モル〜約７４モルのアシル化剤および主鎖ポリマー１モル当たり約１モル〜約７４モルのエチレン性不飽和モノマーを有し、ただし主鎖ポリマー１モル当たりのアシル化剤とエチレン性不飽和モノマーのモルの合計が７５モル以下である、請求項１〜８のいずれか１項に記載の多機能分散剤グラフトポリマー。
【請求項１０】
エチレン性不飽和モノマーが１−ビニルイミダゾールであり、アシル化剤が、マレイン酸、フマル酸、無水マレイン酸、およびそれらの組み合わせからなる群から選ばれ、そしてアミンがＮ−フェニル−１，４−フェニレンジアミンである、請求項１に記載の多機能分散剤グラフトポリマー。
【請求項１１】
約１〜約３２の迅速ＡＤＴレスポンスを有する請求項１〜１０のいずれか１項に記載の多機能分散剤グラフトポリマー。
【請求項１２】
約４〜約１６の迅速ＡＤＴレスポンスを有する請求項１〜１１のいずれか１項に記載の多機能分散剤グラフトポリマー。
【請求項１３】
ａ．グラフトすることができる部位を有するポリマー主鎖と少なくとも１つのオレフィン性不飽和点を有するアシル化剤とを開始剤の存在下に反応させ、アシル化剤とポリマー主鎖のグラフトポリマー反応生成物を形成する工程、
ｂ．工程ａで形成されたグラフトポリマー反応生成物を、２〜約５０個の炭素原子を有しかつ窒素、酸素およびそれらの組み合わせからなる群から選ばれる少なくとも１つを含有するエチレン性不飽和脂肪族または芳香族モノマーと、開始剤の存在下に反応させ、反応に利用できるアシル基を有する、エチレン性不飽和モノマー、アシル化剤、およびポリマー主鎖のグラフトポリマー反応生成物を形成する工程、
および
ｃ．工程ｂで形成されたグラフトポリマー反応生成物を、アシル基と反応することができるアミンと反応させ、多機能分散剤グラフトポリマーを形成する工程
を含む多機能分散剤グラフトポリマーを作る方法。
【請求項１４】
ポリマー主鎖が、ポリオレフィン、ポリエステル、およびそれらの組み合わせからなる群から選ばれる、請求項１３に記載の方法。
【請求項１５】
ポリマー主鎖が約１０，０００〜約１，０００，０００の質量平均分子量を有する、請求項１３または１４に記載の方法。
【請求項１６】
ポリマー主鎖が、約２０，０００〜約５００，０００の質量平均分子量および約１〜約１５の多分散性を有する、請求項１３〜１５のいずれか１項に記載の方法。
【請求項１７】
エチレン性不飽和モノマーが、硫黄、リン、ハロゲン、およびそれらの組み合わせからなる群から選ばれるものをさらに含有する、請求項１３〜１６のいずれか１項に記載の方法。
【請求項１８】
エチレン性不飽和モノマーが、１−ビニルイミダゾール、１−ビニル−２−ピロリジノン、Ｎ−アリルイミダゾール、１−ビニルピロリジノン、２−ビニルピリジン、４−ビニルピリジン、Ｎ−メチル−Ｎ−ビニルアセトアミド、ジアリルホルムアミド、Ｎ−メチル−Ｎ−アリルホルムアミド、Ｎ−エチル−Ｎ−アリルホルムアミド、Ｎ−シクロヘキシル−Ｎ−アリルホルムアミド、４−メチル−５−ビニルチアゾール；Ｎ−アリルジイソオクチルフェノチアジン；２−メチル−１−ビニルイミダゾール、３−メチル−１−ビニルピラゾール、Ｎ−ビニルプリン、Ｎ−ビニルピペラジン、ビニルピペリジン、ビニルモルホリン、およびそれらの組み合わせからなる群から選ばれる、請求項１３〜１７のいずれか１項に記載の方法。
【請求項１９】
アシル化剤が、モノカルボン酸、ジカルボン酸、ポリカルボン酸、当該カルボン酸の無水物、当該カルボン酸の低級アルキルエステル、当該カルボン酸のハロゲン化物、およびそれらの組み合わせからなる群から選ばれる、請求項１３〜１８のいずれか１項に記載の方法。
【請求項２０】
アシル化剤が、マレイン酸、フマル酸、無水マレイン酸、およびそれらの組み合わせからなる群から選ばれる、請求項１３〜１９のいずれか１項に記載の方法。
【請求項２１】
アミンが、第一級アミンおよび第二級アミンからなる群から選ばれる、請求項１３〜２０のいずれか１項に記載の方法。
【請求項２２】
アミンが、メチレンアミン、エチレンアミン、ブチレンアミン、プロピレンアミン、ペンチレンアミン、ヘキシレンアミン、ヘプチレンアミン、オクチレンアミン、アミノアルキル置換ピペラジン、エチレンジアミン、ジエチレントリアミン、トリエチレンテトラミン、プロピレンジアミン、ジ（ヘプタメチレン）トリアミン、トリプロピレンテトラミン、テトラエチレンペンタミン、トリメチレンジアミン、ペンタエチレンヘキサミン、ジ（トリメチレン）トリアミン、３−モルホリノプロピルアミン、アニリン、４−モルホリンアニリン、ベンジルアミン、フェニルエチルアミン、３−フェニル−１−プロピルアミン、Ｎ−フェニルフェニレンジアミン、Ｎ−フェニル−１，４−フェニレンジアミン、Ｎ−フェニル−１，３−フェニレンジアミン、Ｎ−フェニル−１，２−フェニレンジアミン、Ｎ−ナフチルフェニレンジアミン、Ｎ−フェニルナフタレンジアミン、およびＮ′−アミノプロピル−Ｎ−フェニルフェニレンジアミン、ならびにアミノカルバゾール、アミノインドール、アミノインダゾリノン、アミノメルカプトトリアゾール、およびアミノペリミジンならびにそれらの組み合わせからなる群から選ばれる、請求項１３〜２１のいずれか１項に記載の方法。
【請求項２３】
アミンがＮ−フェニル−１，４−フェニレンジアミンである、請求項１３〜２２のいずれか１項に記載の方法。
【請求項２４】
多機能分散剤グラフトポリマーが約４〜約１６の迅速ＡＤＴレスポンスを有する、請求項１３〜２３のいずれか１項に記載の方法。
【請求項２５】
ａ．グラフトすることができる部位を有するポリマー主鎖と少なくとも１つのオレフィン性不飽和点を有するアシル化剤とを、開始剤の存在下に融解反応させ、アシル化剤とポリマー主鎖のグラフトポリマー反応生成物を形成する工程、
ｂ．ｉ．工程ａで形成されたグラフトポリマー反応生成物を、２〜約５０個の炭素原子を有しかつ窒素、酸素およびそれらの組み合わせからなる群から選ばれる少なくとも１つを含有するエチレン性不飽和脂肪族または芳香族モノマーと、開始剤の存在下に融解反応させ、反応に利用できるアシル基を有する、エチレン性不飽和モノマー、アシル化剤、およびポリマー主鎖のグラフトポリマー反応生成物を形成する工程、および
ｉｉ．工程ｂで形成されたグラフトポリマー反応生成物を、アシル基と反応することができるアミンと反応させ、多機能分散剤グラフトポリマーを形成する工程、
または、
ｃ．ｉ．工程ａで形成されたグラフトポリマー反応生成物を、２〜約５０個の炭素原子を有しかつ窒素、酸素およびそれらの組み合わせからなる群から選ばれた少なくとも１つを含有するエチレン性不飽和脂肪族または芳香族モノマーと、開始剤の存在下に溶媒中で反応させ、反応に利用できるアシル基を有する、エチレン性不飽和モノマー、アシル化剤、およびポリマー主鎖のグラフトポリマー反応生成物を形成する工程、および
ｉｉ．工程ｃで形成されたグラフトポリマー反応生成物を、アシル基と反応することができるアミンと反応させ、多機能分散剤グラフトポリマーを形成する工程
を含む、請求項１３〜２４のいずれか１項に記載の方法。
【請求項２６】
ａ．グラフトすることができる部位を有するポリマー主鎖と少なくとも１つのオレフィン性不飽和点を有するアシル化剤とを開始剤の存在下に溶媒中で反応させ、アシル化剤とポリマー主鎖のグラフトポリマー反応生成物を形成する工程、
ｂ．工程ａで形成されたグラフトポリマー反応生成物を、２〜約５０個の炭素原子を有しかつ窒素、酸素およびそれらの組み合わせからなる群から選ばれた少なくとも１つを含有するエチレン性不飽和脂肪族または芳香族モノマーと、開始剤の存在下に溶媒中で反応させ、反応に利用できるアシル基を有する、エチレン性不飽和モノマー、アシル化剤およびポリマー主鎖のグラフトポリマー反応生成物を形成する工程、および
ｃ．工程ｂで形成されたグラフトポリマー反応生成物を、アシル基と反応することができるアミンと、溶媒中で反応させ、多機能分散剤グラフトポリマーを形成する工程、
を含む、請求項１３〜２４のいずれか１項に記載の方法。
【請求項２７】
ａ．グラフトすることができる部位を有するポリマー主鎖と少なくとも１つのオレフィン性不飽和点を有するアシル化剤とを開始剤の存在下に融解反応させ、アシル化剤とポリマー主鎖のグラフトポリマー反応生成物を形成する工程、
ｂ．工程ａで形成されたグラフトポリマー反応生成物を、２〜約５０個の炭素原子を有しかつ窒素、酸素およびそれらの組み合わせからなる群から選択される少なくとも１つを含有するエチレン性不飽和脂肪族または芳香族モノマーと、開始剤の存在下に溶媒中で反応させ、反応に利用できるアシル基を有する、エチレン性不飽和モノマー、アシル化剤、およびポリマー主鎖のグラフトポリマー反応生成物を形成する工程、および
ｃ．工程ｂで形成されたグラフトポリマー反応生成物を、アシル基と反応することができるアミンと、溶媒中で反応させ、多機能分散剤グラフトポリマーを形成する工程、
を含む、請求項１３〜２４のいずれか１項に記載の方法。
【請求項２８】
ａ．グラフトすることができる部位を有するポリマー主鎖と少なくとも１つのオレフィン性不飽和点を有するアシル化剤とを開始剤の存在下に融解反応させ、アシル化剤とポリマー主鎖のグラフトポリマー反応生成物を形成する工程、
ｂ．工程ａで形成されたグラフトポリマー反応生成物を、２〜約５０個の炭素原子を有しかつ窒素、酸素およびそれらの組み合わせからなる群から選ばれる少なくとも１つを含有するエチレン性不飽和脂肪族または芳香族モノマーと、開始剤の存在下に融解反応させ、反応に利用できるアシル基を有する、エチレン性不飽和モノマー、アシル化剤、およびポリマー主鎖のグラフトポリマー反応生成物を形成する工程、および、
ｃ．工程ｂで形成されたグラフトポリマー反応生成物を、アシル基と反応することができるアミンと、溶媒中で反応させ、多機能分散剤グラフトポリマーを形成する工程、
を含む、請求項１３〜２４のいずれか１項に記載の方法。
【請求項２９】
ａ．グラフトすることができる部位を有するポリマー主鎖と、少なくとも１つのオレフィン性不飽和点を有するアシル化剤とを、開始剤の存在下に融解反応させ、アシル化剤とポリマー主鎖のグラフトポリマー反応生成物を形成する工程、
ｂ．工程ａで形成されたグラフトポリマー反応生成物を、２〜約５０個の炭素原子を有しかつ窒素、酸素およびそれらの組み合わせからなる群から選ばれる少なくとも１つを含有するエチレン性不飽和脂肪族または芳香族モノマーと、開始剤の存在下に融解反応させ、反応に利用できるアシル基を有する、エチレン性不飽和モノマー、アシル化剤およびポリマー主鎖のグラフトポリマー反応生成物を形成する工程、および
ｃ．工程ｂで形成されたグラフトポリマー反応生成物を、アシル基と反応することができるアミンと融解反応させ、多機能分散剤グラフトポリマーを形成する工程、
を含む、請求項１３〜２４のいずれか１項に記載の方法。
【請求項３０】
融解反応が押し出し機の中で行なわれる、請求項２５および２７〜２９のいずれか１項に記載の方法。
【請求項３１】
反応物が溶媒に希釈して導入される、請求項３０に記載の方法。
【請求項３２】
グラフト重合性試薬および開始剤の送り出しを、適切なスクリュー・シール要素によってポリマー供給ホッパーから分離された帯域に、ポリマーから下流に導入することによって、遅らせる、請求項３０〜３１のいずれか１項に記載の方法。
【請求項３３】
ａ．潤滑油基油、
ｂ．請求項１〜１２のいずれか１項に記載の多機能分散剤グラフトポリマーの少なくとも一部、および所望により、
ｃ．他の潤滑油添加剤
を含む潤滑油。
【請求項３４】
ａ．潤滑油基油、
ｂ．組成物質量で少なくとも０．０５％〜１５％の請求項１〜１２のいずれか１項に記載の多機能分散剤グラフトポリマー、および
ｃ．組成物質量で０％〜２０％の他の潤滑油添加剤、
を含む、請求項３３に記載の潤滑油。
【請求項３５】
請求項１〜１２のいずれか１項に記載の多機能分散剤グラフトポリマーの有効量を潤滑油に混ぜることを含む、潤滑油のすす処理、粘度調整、スラッジ制御およびワニス制御を改善する方法。